(57)【要約】【課題】車両周辺に乗車前の乗員が存在することを示す情報を他車両へ無線送信することによって、当該乗員との接触事故を防止することができる車両用通信システムを提供する。【解決手段】車両用通信システムは、車両ドアの施解錠用の携帯機１と、車両Ｃに搭載されており、携帯機１との間で無線通信を行うことによって、車両周辺にある携帯機１を検出する携帯機検出装置２と、携帯機検出装置２にて車両周辺にある携帯機１が検出された場合、携帯機１を所持した人物が車両周辺に存在することを示す情報を他車両へ無線送信する通信装置７とを備える。【選択図】図１
2017182347.tif 000002
【特許請求の範囲】
【請求項１】
車両ドアの施解錠用の携帯機と、
車両に搭載されており、該携帯機との間で無線通信を行うことによって、車両周辺にある前記携帯機を検出する携帯機検出装置と、
該携帯機検出装置にて前記車両周辺にある前記携帯機が検出された場合、該携帯機を所持した人物が前記車両周辺に存在することを示す情報を他車両へ無線送信する通信装置と
を備える車両用通信システム。
【請求項２】
前記携帯機検出装置は、
自装置が搭載された前記車両に対する前記携帯機の位置を検出するようにしてあり、
前記通信装置は、
前記車両周辺にある前記携帯機が検出された場合、前記車両に対する前記携帯機の位置を示す情報を他車両へ無線送信する
請求項１に記載の車両用通信システム。
【請求項３】
前記携帯機検出装置にて前記車両周辺にある前記携帯機が検出された場合、該車両周辺に存在する人物を監視する監視装置を備え、
前記通信装置は、
前記監視装置にて監視された人物に係る情報を他車両へ無線送信する
請求項１又は請求項２に記載の車両用通信システム。
【請求項４】
前記監視装置は、
前記車両周辺に存在する人物を撮像するカメラ、又は前記車両周辺に存在する人物との距離を測定する測距センサを含む
請求項３に記載の車両用通信システム。
【請求項５】
前記車両に搭載されており、該車両の位置を検出する車両位置検出装置を備え、
前記通信装置は、
前記車両位置検出装置にて検出された前記車両の位置を示す情報を他車両へ無線送信する
請求項１〜請求項４までのいずれか一項に記載の車両用通信システム。
【請求項６】
前記車両への乗車を検出する乗車検出装置を備え、
前記通信装置は、
前記乗車検出装置にて乗車を検出した場合、他車両への前記情報の送信を停止する
請求項１〜請求項５までのいずれか一項に記載の車両用通信システム。
【請求項７】
前記乗車検出装置は、
前記車両ドアの開閉を検出するドア開閉センサを備え、
前記通信装置は、
前記車両ドアの開閉が検出された場合、他車両への前記情報の送信を停止する
請求項６に記載の車両用通信システム。
【請求項８】
前記乗車検出装置は、
乗員の着座を検出する着座センサを備え、
前記通信装置は、
前記着座センサにて乗員の着座を検出した場合、他車両への前記情報の送信を停止する
請求項６又は請求項７に記載の車両用通信システム。
【請求項９】
前記車両ドアを施錠する施錠装置を備え、
前記通信装置は、
前記施錠装置が前記車両ドアの施錠を行った場合、他車両への前記情報の送信を停止する
請求項１〜請求項８までのいずれか一項に記載の車両用通信システム。
【請求項１０】
車両ドアの施解錠用の携帯機との間で無線通信を行うことによって、車両周辺にある前記携帯機を検出し、
前記車両周辺にある前記携帯機が検出された場合、該携帯機を所持した人物が前記車両周辺に存在することを示す情報を他車両へ無線送信する
車両周辺情報送信方法。
【請求項１１】
コンピュータに、
車両ドアの施解錠用の携帯機との間で無線通信を行うことによって、車両周辺にある前記携帯機を検出させ、
前記車両周辺にある前記携帯機が検出された場合、該携帯機を所持した人物が前記車両周辺に存在することを示す情報を他車両へ無線送信させる
処理を実行させる制御プログラム。
【発明の詳細な説明】
【技術分野】
【０００１】
本発明は、乗車しようとする人物が車両周辺に存在することを示す情報を他車両へ送信する車両用通信システム、車両周辺情報送信方法及び制御プログラムに関する。
【背景技術】
【０００２】
特許文献１には、自車両から降車した乗員が車両周辺に存在することを、車車間通信により他車両へ通知することによって、降車した乗員との接触事故を防止することができる車車間通信装置が開示されている。
【先行技術文献】
【特許文献】
【０００３】
【特許文献１】特開２０１５−１６０５４１号公報
【発明の概要】
【発明が解決しようとする課題】
【０００４】
しかしながら、特許文献１においては、駐車された車両に乗車しようとする人物が車両周辺に存在することを、他車両へ通知することができないという問題がある。例えば、路肩に複数の車両が縦列駐車されているような場合、道路側の運転席ドアから乗車しようとする運転者が、車両と車両の間から不意に道路へ飛び出してくることがあり、縦列車両の脇を走行する他車両と接触する事故が発生し得る。
【０００５】
本発明の目的は、車両周辺に乗車前の乗員が存在することを示す情報を他車両へ無線送信することによって、当該乗員との接触事故を防止することができる車両用通信システム、車両周辺情報送信方法及び制御プログラムを提供することにある。
【課題を解決するための手段】
【０００６】
本態様に係る車両用通信システムは、車両ドアの施解錠用の携帯機と、車両に搭載されており、該携帯機との間で無線通信を行うことによって、車両周辺にある前記携帯機を検出する携帯機検出装置と、該携帯機検出装置にて前記車両周辺にある前記携帯機が検出された場合、該携帯機を所持した人物が前記車両周辺に存在することを示す情報を他車両へ無線送信する通信装置とを備える。
【０００７】
本態様に係る車両周辺情報送信方法は、車両ドアの施解錠用の携帯機との間で無線通信を行うことによって、車両周辺にある前記携帯機を検出し、前記車両周辺にある前記携帯機が検出された場合、該携帯機を所持した人物が前記車両周辺に存在することを示す情報を他車両へ無線送信する。
【０００８】
本態様に係る制御プログラムは、コンピュータに、車両ドアの施解錠用の携帯機との間で無線通信を行うことによって、車両周辺にある前記携帯機を検出させ、前記車両周辺にある前記携帯機が検出された場合、該携帯機を所持した人物が前記車両周辺に存在することを示す情報を他車両へ無線送信させる処理を実行させる。
【０００９】
なお、本願は、このような特徴的な処理部を備える車両用通信システムとして実現することができるだけでなく、かかる特徴的な処理をステップとする車両周辺情報送信方法として実現したり、かかるステップをコンピュータに実行させるためのプログラムとして実現したりすることができる。また、車両用通信システムの一部又は全部を実現する半導体集積回路として実現したり、車両用通信システムを含むその他のシステムとして実現したりすることができる。
【発明の効果】
【００１０】
上記によれば、車両周辺に乗車前の乗員が存在することを示す情報を他車両へ無線送信することによって、当該乗員との接触事故を防止することができる車両用通信システム、車両周辺情報送信方法及び制御プログラムを提供することが可能となる。
【図面の簡単な説明】
【００１１】
【図１】本発明の実施形態１に係る車両用通信システムの概略を示すブロック図である。
【図２】本発明の実施形態１に係る車両用通信システムの一構成例を示すブロック図である。
【図３】車両周辺人物情報の送信に係る処理方法の手順を示すフローチャートである。
【図４】駐車された第１車両の周辺に乗車前の人物が存在する様子を示す模式図である。
【図５】車両周辺人物情報の表示例を示す模式図である。
【図６】本発明の実施形態２に係る車両周辺情報送信装置の一構成例を示すブロック図である。
【発明を実施するための形態】
【００１２】
［本発明の実施形態の説明］
最初に本発明の実施態様を列記して説明する。また、以下に記載する実施形態の少なくとも一部を任意に組み合わせてもよい。
【００１３】
（１）本態様に係る車両用通信システムは、車両ドアの施解錠用の携帯機と、車両に搭載されており、該携帯機との間で無線通信を行うことによって、車両周辺にある前記携帯機を検出する携帯機検出装置と、該携帯機検出装置にて前記車両周辺にある前記携帯機が検出された場合、該携帯機を所持した人物が前記車両周辺に存在することを示す情報を他車両へ無線送信する通信装置とを備える。
【００１４】
本態様によれば、携帯機検出装置は、運転者が所持する携帯機と無線通信を行うことによって、車両周辺にある携帯機を検出する。携帯機検出装置によって車両周辺の携帯機が検出された場合、通信装置は、携帯機を所持した人物が車両周辺に存在することを示す情報を他車両へ無線送信する。従って、本態様の車両用通信システムが搭載された自車両の周辺に存在する人物、例えば携帯機を所持した運転者が存在することを他車両へ通知することができる。
車両周辺に存在する人物の情報を他車両へ無線送信する状況は特に限定されるものでは無いが、車両が駆動していない状況で前記情報を無線送信する構成が好ましい。なお、車両が停車している状況であれば、エンジンの動作中であっても前記情報を無線送信するように構成しても良い。
【００１５】
（２）前記携帯機検出装置は、自装置が搭載された前記車両に対する前記携帯機の位置を検出するようにしてあり、前記通信装置は、前記車両周辺にある前記携帯機が検出された場合、前記車両に対する前記携帯機の位置を示す情報を他車両へ無線送信する構成が好ましい。
【００１６】
本態様によれば、携帯機検出装置は、車両に対する携帯機の位置を検出し、通信装置は当該位置を示す情報を他車両へ無線送信する。従って、本態様の車両用通信システムが搭載された自車両の周辺に存在する人物の位置を他車両へ通知することができる。
他車両の運転者は、問題の車両のどの辺りに人物が存在するかを認識することができる。
【００１７】
（３）前記携帯機検出装置にて前記車両周辺にある前記携帯機が検出された場合、該車両周辺に存在する人物を監視する監視装置を備え、前記通信装置は、前記監視装置にて監視された人物に係る情報を他車両へ無線送信する構成が好ましい。
【００１８】
本態様によれば、車両周辺の携帯機が検出された場合、監視装置は車両周辺に存在する人物を監視する。監視装置は、携帯機を所持する人物以外の人物、つまり運転者と共に乗車しようとする人物を検出する。そして、通信装置は、監視装置によって監視された人物に係る情報を他車両へ無線送信する。従って、本態様の車両用通信システムが搭載された自車両の周辺に存在する、携帯機を所持しない人物の存在も他車両に通知することができる。
【００１９】
（４）前記監視装置は、前記車両周辺に存在する人物を撮像するカメラ、又は前記車両周辺に存在する人物との距離を測定する測距センサを含む構成が好ましい。
【００２０】
本態様によれば、監視装置は、カメラ又は測距センサによって、車両周辺に存在する人物を監視することができる。
【００２１】
（５）前記車両に搭載されており、該車両の位置を検出する車両位置検出装置を備え、前記通信装置は、前記車両位置検出装置にて検出された前記車両の位置を示す情報を他車両へ無線送信する構成が好ましい。
【００２２】
本態様によれば、車両位置検出装置は、自装置が搭載された車両、つまり本態様に係る携帯機検出装置及び通信装置が搭載された車両の位置を検出する。通知装置は、車両周辺に人物が存在することを示す情報と共に、当該車両の位置を示す情報を他車両へ無線送信する。従って、周辺に人物が存在するものとして注意すべき車両の位置を他車両へ通知することができる。他車両の運転者は、問題の車両の位置を認識することができる。
【００２３】
（６）前記車両への乗車を検出する乗車検出装置を備え、前記通信装置は、前記乗車検出装置にて乗車を検出した場合、他車両への前記情報の送信を停止する構成が好ましい。
【００２４】
本態様によれば、乗車検出装置が人物の乗車を検出した場合、通信装置は、当該人物が車両周辺に存在することを示す情報の無線送信を停止する。
【００２５】
（７）前記乗車検出装置は、前記車両ドアの開閉を検出するドア開閉センサを備え、前記通信装置は、前記車両ドアの開閉が検出された場合、他車両への前記情報の送信を停止する構成が好ましい。
【００２６】
本態様によれば、車両のドアが開閉された場合、通信装置は、人物が車両に乗車したものとして当該人物が車両周辺に存在することを示す情報の無線送信を停止する。
【００２７】
（８）前記乗車検出装置は、乗員の着座を検出する着座センサを備え、前記通信装置は、前記着座センサにて乗員の着座を検出した場合、他車両への前記情報の送信を停止する構成が好ましい。
【００２８】
本態様によれば、着座センサにて着座が検出された場合、通信装置は、人物が車両に乗車したものとして当該人物が車両周辺に存在することを示す情報の無線送信を停止する。
【００２９】
（９）前記車両ドアを施錠する施錠装置を備え、前記通信装置は、前記施錠装置が前記車両ドアの施錠を行った場合、他車両への前記情報の送信を停止する構成が好ましい。
【００３０】
本態様によれば、車両ドアが施錠された場合、通信装置は、人物が車両に乗車したものとして当該人物が車両周辺に存在することを示す情報の無線送信を停止する。
【００３１】
（１０）本態様に係る車両周辺情報送信方法は、車両ドアの施解錠用の携帯機との間で無線通信を行うことによって、車両周辺にある前記携帯機を検出し、前記車両周辺にある前記携帯機が検出された場合、該携帯機を所持した人物が前記車両周辺に存在することを示す情報を他車両へ無線送信する。
【００３２】
本態様によれば、態様（１）と同様、本態様の携帯機を所持した乗車前の運転者が車両周辺に存在することを他車両へ通知することができる。
【００３３】
（１１）本態様に係る制御プログラムは、コンピュータに、車両ドアの施解錠用の携帯機との間で無線通信を行うことによって、車両周辺にある前記携帯機を検出させ、前記車両周辺にある前記携帯機が検出された場合、該携帯機を所持した人物が前記車両周辺に存在することを示す情報を他車両へ無線送信させる処理を実行させる。
【００３４】
本態様によれば、態様（１）と同様、コンピュータに、携帯機を所持した乗車前の運転者が車両周辺に存在することを他車両へ通知する処理を実行させることができる。
【００３５】
［本発明の実施形態の詳細］
本発明の実施形態に係る車両用通信システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００３６】
（実施形態１）
図１は、本発明の実施形態１に係る車両用通信システムの概略を示すブロック図、図２は、本発明の実施形態１に係る車両用通信システムの一構成例を示すブロック図である。本発明の実施形態１に係る車両用通信システムは、車両ドアの施解錠用の携帯機１と、車内ＬＡＮ等の通信線８に接続された携帯機検出装置２、車両周辺監視装置３、車両位置検出装置４、施錠装置５、乗車検出装置６及び通信装置７とを備える。通信線８に接続された各装置は、ＣＡＮ（Controller Area Network）又はＬＩＮ（Local Interconnect Network）等の所定の通信プロトコルに従って通信を行う図示しない車内通信部を備え、車内通信部は通信線８を介して各種情報を送受信する。なお、各装置は無線で情報を送受信するように構成しても良い。
以下、本態様に係る車両用通信システムは、図１に示すように複数の車両Ｃに搭載されているものとして説明する。各車両Ｃに搭載された車両用通信システムは同様の機能を有する。本実施形態１においては、駐車された車両Ｃを第１車両Ｃ、当該第１車両Ｃの脇を走行しようとする後続の車両Ｃを第２車両Ｃと呼ぶ。第１車両Ｃに搭載された車両用通信システムは、車両周辺に存在する乗車前の人物Ａ（図４参照）を検出し、当該人物Ａが存在することを第２車両Ｃへ無線送信し、第２車両Ｃに搭載された車両用通信システムは、第１車両Ｃから送信された情報を受信し、受信した情報を運転者に通知するものとして説明する。
【００３７】
携帯機検出装置２は位置検出ＥＣＵ２１を備える。位置検出ＥＣＵ２１には、車両Ｃに設けられた複数のＬＦ送信アンテナ２２が接続されている。複数のＬＦ送信アンテナ２２は、例えば、運転席側ピラー、助手席側ピラー、車内前部、車内後部、及びバックドアに設けられている。位置検出ＥＣＵ２１は、各ＬＦ送信アンテナ２２から、携帯機１の位置検出用信号をＬＦ（Low Frequency）帯の電波を用いて送信させる送信部を有する。
携帯機１は、各ＬＦ送信アンテナ２２から送信された位置検出用信号を受信するＬＦ受信アンテナと、ＬＦ受信アンテナにて受信した各位置検出用信号の受信信号強度を測定する受信信号強度測定部と、測定された受信信号強度の情報を含む応答信号をＵＨＦ（Ultra High Frequency）帯の電波を用いて送信するＲＦ送信アンテナとを備える。なおＵＨＦ帯は信号を送信する電波帯域の一例であり、必ずしもこれに限定されない。
位置検出ＥＣＵ２１は、携帯機１から送信された応答信号を受信するＲＦ受信アンテナ２３を内蔵しており、応答信号に含まれる受信信号強度に基づいて、車両Ｃに対する携帯機１の位置を検出し、当該携帯機１が車外にあるか否かを判定する。車両周辺にある携帯機１が検出された場合、位置検出ＥＣＵ２１は、車両周辺に携帯機１があること、車両Ｃに対する携帯機１の位置を示す情報を、通信線８を介して通信装置７へ送信する。
なお、上記構成は、携帯機１の位置を検出する一例であり、所定の通信範囲に送信された位置検出用信号の携帯機１における受信の成否に基づいて携帯機１の位置を検出しても良い。
【００３８】
車両周辺監視装置３は周辺監視ＥＣＵ３１を備える。周辺監視ＥＣＵ３１には、レーダ３２、カメラ３３、測距センサ３４等が接続されている。
レーダ３２は、例えば、ミリ波レーダ、レーザレーダ、超音波レーダ等であり、車両周辺に存在する人物Ａに係る検出結果を周辺監視ＥＣＵ３１へ出力する。
カメラ３３は、車両周辺を撮像し、撮像して得た画像データを周辺監視ＥＣＵ３１へ出力する。カメラ３３の撮像範囲は特に限定されるものでは無いが、車両Ｃの前方、側方及び後方を撮像する複数のカメラ３３を車両Ｃに設けると良い。カメラ３３は、単眼カメラ、ステレオカメラのいずれも利用することができる。また、カメラ３３は、可視光にて人物Ａを撮像するものであっても良いし、赤外線にて人物Ａを撮像するものであっても良い。
測距センサ３４は、例えば、超音波又は赤外線等によって、車両周辺に存在する人物Ａを検出するセンサであり、検出結果を周辺監視ＥＣＵ３１へ出力する。測距センサ３４は、車両Ｃの前部若しくは後部の車幅方向両側、又は車両Ｃの前部若しくは後部の車幅方向略中央部に設けられている。なお、クリアランスソナーを、車両周辺の人物Ａを検出する測距センサ３４として利用すると良い。
周辺監視ＥＣＵ３１は、カメラ３３にて取得した車両周辺の画像データ、レーダ３２及び測距センサ３４から取得した検出結果を解析することによって、車両周辺に存在する人物Ａを識別ないし検出する。人物Ａの識別は、例えばディープラーニングによって行えば良い。ディープラーニングは、機械学習の一種であり、画像及び各センサの検出結果を所定のクラスに分類するものである。周辺監視ＥＣＵ３１は、車両周辺に存在する人物Ａ以外の静止障害物のオブジェクト画像、人物Ａのオブジェクト画像、車両周辺に存在する建物、車両Ｃ等の物体のオブジェクト画像等を大量に学習し、人物Ａ等の特徴と、各特徴に対応するクラスとを学習結果として記憶している。周辺監視ＥＣＵ３１は、取得した画像データ及び各センサの検出結果と、学習結果とに基づいて、検出対象が属するクラスを特定する。クラスの特定によって、検出対象が人物Ａであるか否かが特定される。周辺監視ＥＣＵ３１は、車両周辺に存在する人物Ａの有無を示す検出結果を、通信線８を介して通信ＥＣＵ７１へ送信する。
【００３９】
車両位置検出装置４はナビＥＣＵ４１を備える。ナビＥＣＵ４１には、ＧＰＳ受信機４２、表示部４３及びスピーカ４４が接続されており、目的地への経路を案内するカーナビゲーションシステムを構成している。ナビＥＣＵ４１は、自車両の位置を示す情報を、通信線８を介して通信ＥＣＵ７１へ送信する。自車両の位置は、例えば緯度、経度で表される。
ＧＰＳ受信機４２は、人工衛星（ＧＰＳ衛星）と共にＧＰＳシステムを構成しており、人工衛星からの電波を受信し、自機の位置、即ち車両Ｃの位置を検出する。
表示部４３は、液晶ディスプレイ、有機ＥＬディスプレイ、電子ペーパ等の表示装置である。表示部４３は、ナビＥＣＵ４１の制御に従って図示しない記憶部が記憶する地図情報に基づく地図画像と、ＧＰＳ受信機４２を用いて検出された車両Ｃの現在地と、目的地への走行経路とを表示し、車両Ｃの走行を案内する。また、後述するように表示部４３は、他車両から送信された情報、即ち当該車両周辺に存在する人物Ａに係る情報を表示する。
スピーカ４４は、ナビＥＣＵ４１の制御に従って、目的地への走行経路を案内する音声を出力する。
【００４０】
施錠装置５はドアＥＣＵ５１を備える。ドアＥＣＵ５１には、車両ドアの施錠及び解錠を行う施錠機構５２と、当該施錠機構５２を駆動するアクチュエータとを備える。後述するボディＥＣＵ６１は、車両ドアのリクエストスイッチが操作された場合、位置検出ＥＣＵ２１にて、携帯機１を認証すると共に車外にあるか否かを判定し、正規の携帯機１が操作されたリクエストスイッチの車外周辺に位置している場合、施解錠信号をドアＥＣＵ５１へ送信する。ドアＥＣＵ５１は、施解錠信号を受信した場合、施錠機構５２を駆動させ、車両ドアを施錠し又は解錠する。また、ドアＥＣＵ５１は、車両ドアの施錠を行った際、車両ドアが施錠されたことを示す情報を、通信線８を介して通信ＥＣＵ７１へ送信する。
【００４１】
乗車検出装置６はボディＥＣＵ６１を備える。ボディＥＣＵ６１には、ドア開閉センサ６２、着座センサ６３及びイグニッションスイッチ６４が接続されており、各種センサ及びスイッチの状態を示す情報を、通信線８を介して通信ＥＣＵ７１へ出力する。
ドア開閉センサ６２は、ドアの開閉状態に応じてオンオフするスイッチであり、ボディＥＣＵ６１には、ドアの開閉状態に応じた信号が入力している。ボディＥＣＵ６１は、入力された当該信号に基づいて、ドアの開閉状態を認識することができる。ドア開閉センサ６２は、例えばカーテシースイッチである。
着座センサ６３は、運転席の座席に埋め込まれた感圧センサ、重量センサ等であり、当該座席に乗員が座っているか否かを検出し、検出結果をボディＥＣＵ６１へ出力する。
また、ボディＥＣＵ６１には、イグニッションスイッチ６４の操作状態に応じたイグニッションスイッチ信号が入力しており、ボディＥＣＵ６１は、入力したイグニッションスイッチ信号に基づいて、イグニッションスイッチ６４の操作状態を認識することができる。
【００４２】
通信装置７は通信ＥＣＵ７１を備える。通信ＥＣＵ７１には無線機７２が接続されている。無線機７２は、送受信アンテナ７３を有し、自車両の周囲数百メートルの範囲に存在する他車両との間で各種情報を無線にて送受信する。自車両と、他車両との間で行う無線通信を、以下、適宜、車車間通信と呼ぶ。本実施形態１においては、特に、通信装置７は、携帯機検出装置２、車両周辺監視装置３、車両位置検出装置４、施錠装置５、乗車検出装置６から送信される各種情報を受信し、自車両の周囲に存在する人物Ａが検出された場合、車両周辺に存在する人物Ａに係る車両周辺人物情報を生成する。車両周辺人物情報は、車両周辺に携帯機１を所持した人物Ａが存在すること、車両Ｃの位置、携帯機１を所持しているか否かに拘わらず、当該車両周辺に存在する人物Ａの数、車両Ｃに対する各人物Ａの位置等の情報を含む。通信ＥＣＵ７１は、車両周辺にある携帯機１が検出された場合、車両周辺人物情報を車車間通信にて他車両へ送信する。
また、通信装置７は、他車両から車両周辺人物情報を受信した場合、受信した車両周辺人物情報を、通信網を介してナビＥＣＵ４１へ送信し、表示部４３に表示させる。
なお、路側に設けられた路側通信装置との間で路車間通信を行い、路側通信装置を介して、他車両へ車両周辺人物情報を送信するように構成しても良い。
【００４３】
図３は、車両周辺人物情報の送信に係る処理方法の手順を示すフローチャート、図４は、駐車された第１車両Ｃの周辺に乗車前の人物Ａが存在する様子を示す模式図である。図４に示すように、路側に３台の車両Ｃが駐車されており、先頭の第１車両Ｃが周辺の人物Ａを監視し、人物Ａに係る情報を、後方を走行している第２車両Ｃへ車車間通信により送信する場合における車両用通信システムの動作を説明する。第１車両Ｃが図４に示すように駐車され、例えば、イグニッションスイッチ６４がオフ状態にある場合、当該第１車両Ｃに搭載された車両用通信システムは以下の処理を実行する。位置検出ＥＣＵ２１は、イグニッションスイッチ６４がオフ状態にある場合、間欠的に起動し、車両周辺に存在する携帯機１の位置を検出する（ステップＳ１１）。そして、位置検出ＥＣＵ２１は、携帯機１が車両周辺に存在するか否かを判定する（ステップＳ１２）。携帯機１が車両周辺に存在しないと判定した場合（ステップＳ１２：ＮＯ）、位置検出ＥＣＵ２１はステップＳ１１の処理を継続する。携帯機１が車両周辺に存在すると判定した場合（ステップＳ１２：ＹＥＳ）、周辺監視ＥＣＵ３１は、車両周辺の監視を開始する（ステップＳ１３）。例えば、位置検出ＥＣＵ２１は、携帯機１が車両周辺に存在すること、携帯機１の位置等を示す情報を通信ＥＣＵ７１へ送信し、該情報を受信した通信ＥＣＵ７１は、周辺監視ＥＣＵ３１を起動させるための情報を周辺監視ＥＣＵ３１へ送信することによって、周辺監視を開始させる。周辺監視ＥＣＵ３１は、車両周辺に存在する人物Ａを、レーダ３２、カメラ３３、測距センサ３４等を用いて検出し、検出結果を通信ＥＣＵ７１へ送信する。
【００４４】
そして、通信ＥＣＵ７１は、位置検出ＥＣＵ２１及び周辺監視ＥＣＵ３１にて、車両周辺の人物Ａの位置が検出されたか否かを判定する（ステップＳ１４）。人物Ａの位置が検出されないと判定した場合（ステップＳ１４：ＮＯ）、通信ＥＣＵ７１は、周辺監視ＥＣＵ３１による周辺監視を停止させ（ステップＳ１５）、処理をステップＳ１１へ戻し、位置検出ＥＣＵ２１による携帯機１の検出を実行させる。
【００４５】
車両周辺の人物Ａの位置が検出されたと判定した場合（ステップＳ１４：ＹＥＳ）、通信ＥＣＵ７１は、ナビＥＣＵ４１から第１車両Ｃの位置を示す情報を取得する（ステップＳ１６）。そして、通信ＥＣＵ７１は、車両周辺に存在する人物Ａに係る情報、例えば人物Ａの位置情報、車両Ｃの位置情報等を含む車両周辺人物情報を、無線機７２にて第２車両Ｃへ無線送信させる（ステップＳ１７）。
【００４６】
第２車両Ｃに搭載された通信ＥＣＵ７１は、ステップＳ１７の処理で送信された車両周辺人物情報を無線機７２にて受信し、受信した車両周辺人物情報をナビＥＣＵ４１へ送信して表示部４３に表示させる。
【００４７】
図５は、車両周辺人物情報の表示例を示す模式図である。ナビＥＣＵ４１は、自装置が搭載された第２車両Ｃの周辺地図画像を表示部４３に表示させ、更に、当該第２車両Ｃの位置を示す自車両画像４３ａを地図画像に重畳して表示させる。また、ナビＥＣＵ４１は、受信した車両周辺人物情報に含まれる第１車両Ｃの位置を示す駐車車両画像４３ｂを地図画像に重畳して表示させる。更に、ナビＥＣＵ４１は、車両周辺人物情報に含まれる車両周辺の人物Ａの位置を示す人物画像４３ｃを地図画像に重畳して表示させる。更にまた、ナビＥＣＵ４１は、駐車中の車両Ｃに乗車しようとする人物Ａが存在するため、当該人物Ａへの注意を促す警告画像４３ｄを表示部４３に表示させる。
【００４８】
次いで、通信ＥＣＵ７１は、ボディＥＣＵ６１から送信される情報に基づいて、車両ドアが開閉したか否かを判定する（ステップＳ１８）。つまり、通信ＥＣＵ７１は、車両ドアが一旦開き、次いで閉じる開閉動作があったか否かを判定する。車両ドアが開閉していないと判定した場合（ステップＳ１８：ＮＯ）、通信ＥＣＵ７１は、処理をステップＳ１４へ戻し、車両周辺の人物Ａの監視を継続する。
【００４９】
車両ドアが開閉したと判定した場合（ステップＳ１８：ＹＥＳ）、通信ＥＣＵ７１は、ボディＥＣＵ６１から送信される情報に基づいて、乗員の着座を検出したか否かを判定する（ステップＳ１９）。着座を検出していないと判定した場合（ステップＳ１９：ＮＯ）、通信ＥＣＵ７１は、処理をステップＳ１４へ戻し、車両周辺の人物Ａの監視を継続する。
【００５０】
着座を検出したと判定した場合（ステップＳ１９：ＹＥＳ）、通信ＥＣＵ７１は、ドアＥＣＵ５１から送信される情報に基づいて、車両ドアの開閉後、車両ドアの施錠が行われたか否かを判定する（ステップＳ２０）。車両ドアの施錠が行われていないと判定した場合（ステップＳ２０：ＮＯ）、通信ＥＣＵ７１は、処理をステップＳ１４へ戻し、車両周辺の人物Ａの監視を継続する。
【００５１】
車両ドアの施錠が行われたと判定した場合（ステップＳ２０：ＹＥＳ）、通信ＥＣＵ７１は、監視ＥＣＵによる監視を停止させると共に、人物Ａに係る情報の送信を停止し（ステップＳ２１）、処理を終える。
【００５２】
このように構成された車両用通信システムによれば、車両周辺に乗車前の乗員が存在することを示す情報を他車両へ無線送信することによって、当該乗員との接触事故を防止することができる。
【００５３】
また、通信装置７は、携帯機１を所持する人物Ａの自車両に対する位置を、他車両へ無線送信することができる。
【００５４】
更に、通信装置７は、携帯機１を所持していない人物Ａについても、自車両周辺に位置する人物Ａの情報を、他車両へ無線送信することができる。具体的には、車両周辺監視装置３は、レーダ３２、カメラ３３及び測距センサ３４によって、車両周辺に存在する人物Ａを監視することができる。
【００５５】
更にまた、通信装置７は、車両周辺に人物Ａが存在する当該車両Ｃの位置を示す情報を、他車両へ無線送信することができる。
【００５６】
更にまた、通信装置７は、車両Ｃに人物Ａが乗車した場合、具体的には、車両ドアが開閉し、着座が検出され、車両ドアが施錠された場合、車両周辺の監視を停止し、車両周辺人物情報の送信を停止させることができる。
【００５７】
なお、本実施形態１では、車両周辺人物情報の送信に係る処理を主に通信ＥＣＵが実行する例を説明したが、他のＥＣＵが当該処理を実行しても良いし、複数のＥＣＵが分散して実行しても良い。
【００５８】
（実施形態２）
図６は、本発明の実施形態２に係る車両周辺情報送信装置９の一構成例を示すブロック図である。実施形態２に係る車両周辺情報送信装置９は、実施形態１に係る携帯機検出装置２、施錠装置５、乗車検出装置６及び通信装置７の機能を統合したＥＣＵである。車両周辺情報送信装置９は、自装置の各構成部の動作を制御する制御部９１を備える。制御部９１には、受信部９２、送信部９３、記憶部９４、車内通信部９５及び無線機９６が設けられている。
【００５９】
制御部９１は、例えば一又は複数のＣＰＵ（Central Processing Unit）、マルチコアＣＰＵ、ＲＯＭ（Read Only Memory）、ＲＡＭ（Random Access Memory）、入出力インタフェース、タイマ等を有するマイコンである。制御部９１のＣＰＵは入出力インタフェースを介して受信部９２、送信部９３、記憶部９４、車内通信部９５及び無線機９６に接続している。制御部９１は記憶部９４に記憶されている後述の制御プログラム９４ａを実行することにより、各構成部の動作を制御し、携帯機１の位置検出、車内外判定、車両周辺の人物の監視、車両周辺人物情報の送信等の処理を実行する。
【００６０】
記憶部９４は、ＥＥＰＲＯＭ（Electrically Erasable Programmable ROM）、フラッシュメモリ等の不揮発性メモリである。記憶部９４は、制御部９１が車両周辺情報送信装置９の各構成部の動作を制御することにより、上記車両周辺人物情報の送信等の処理を実行するための制御プログラム９４ａを記憶している。なお、制御プログラム９４ａは、記録媒体にコンピュータ読み取り可能に記録されている態様でも良い。記憶部９４は、図示しない読出装置によって記録媒体から読み出された制御プログラム９４ａを記憶する。記録媒体はＣＤ（Compact Disc）−ＲＯＭ、ＤＶＤ（Digital Versatile Disc）−ＲＯＭ、ＢＤ（Blu-ray（登録商標） Disc）等の光ディスク、フレキシブルディスク、ハードディスク等の磁気ディスク、磁気光ディスク、半導体メモリ等である。また、図示しない通信網に接続されている図示しない外部コンピュータから本実施形態１に係る制御プログラム９４ａをダウンロードし、記憶部９４に記憶させても良い。
【００６１】
受信部９２には、ＲＦ受信アンテナ９２ａが接続されている。受信部９２は、携帯機１から無線により送信される応答信号等を、ＲＦ受信アンテナ９２ａを通じて受信する。
【００６２】
送信部９３は、搬送波を用いて、制御部９１から出力された信号を無線信号に変調し、各ＬＦ送信アンテナ２２から携帯機１へ送信する回路である。
【００６３】
また、車両周辺情報送信装置９の制御部９１には、実施形態１と同様、ドア開閉センサ６２、着座センサ６３及びイグニッションスイッチ６４が接続されており、制御部９１は、各センサ及びスイッチから入力される信号に基づいて、車両ドアの開閉状態、着座状態、イグニッションスイッチ６４のオンオフ状態を認識することができる。
更に、車両周辺情報送信装置９の制御部９１には、実施形態１と同様の施錠機構５２が接続されており、ドアＥＣＵ５１に代えて、制御部９１が施錠機構５２を駆動し、車両ドアの開閉を制御する。
【００６４】
無線機９６及び送受信アンテナ９６ａの構成は、実施形態１と同様であり、通信ＥＣＵ７１に代えて、制御部９１が、車車間における車両周辺人物情報の送受信を制御する。
【００６５】
車内通信部は、ＣＡＮ又はＬＩＮ等の所定の通信プロトコルに従って通信を行う通信機であり、通信線８を介して、車両周辺監視装置３及び車両位置検出装置４に接続されている。
【００６６】
このように構成された制御部９１は、制御プログラム９４ａを実行することによって、図３に示す処理と同様の処理を実行する。具体的には、制御部９１は、送信部９３及び受信部９２にて携帯機１との間で無線通信を行い、車両周辺に存在する携帯機１の位置を検出する。車両周辺の携帯機が検出された場合、制御部９１は、車両周辺監視装置３を起動させ、車両周辺の人物Ａを監視させる。そして、制御部９１は、車両位置検出装置４から第１車両Ｃの位置を示す情報を取得し、車両周辺に存在する人物Ａの位置、車両Ｃの位置等の情報を含む車両周辺人物情報を、無線機９６にて第２車両Ｃへ無線送信させる。
【００６７】
実施形態２に係る車両周辺情報送信装置９によれば、実施形態１同様、車両周辺に乗車前の乗員が存在することを示す情報を他車両へ無線送信することによって、当該乗員との接触事故を防止することができる。
【符号の説明】
【００６８】
１  携帯機
２  携帯機検出装置
３  車両周辺監視装置
４  車両位置検出装置
５  施錠装置
６  乗車検出装置
７  通信装置
８  通信線
９  車両周辺情報送信装置
２１  位置検出ＥＣＵ
２２  ＬＦ送信アンテナ
２３  ＲＦ受信アンテナ
３１  周辺監視ＥＣＵ
３２  レーダ
３３  カメラ
３４  測距センサ
４１  ナビＥＣＵ
４２  ＧＰＳ受信機
４３  表示部
４３ａ  自車両画像
４３ｂ  駐車車両画像
４３ｃ  人物画像
４３ｄ  警告画像
４４  スピーカ
５１  ドアＥＣＵ
５２  施錠機構
６１  ボディＥＣＵ
６２  ドア開閉センサ
６３  着座センサ
６４  イグニッションスイッチ
７１  通信ＥＣＵ
７２  無線機
７３  送受信アンテナ
９１  制御部
９２  受信部
９３  送信部
９４  記憶部
９４ａ  制御プログラム
９５  車内通信部
９６  無線機
９６ａ  送受信アンテナ
Ａ  人物
Ｃ  車両
【図１】
2017182347.tif 000003
【図２】
2017182347.tif 000004
【図３】
2017182347.tif 000005
【図４】
2017182347.tif 000006
【図５】
2017182347.tif 000007
【図６】
2017182347.tif 000008